(57)【要約】【課題】ハウジングに対するレバーの組付性を向上することができるレバー式コネクタを提供する。【解決手段】ハウジング３と、このハウジング３に回転可能に組付けられたコ字状のレバー５と、ハウジング３の両側面にそれぞれ突設された軸部７，７と、レバー５の一対の側板部９，９にそれぞれ設けられた孔部１１，１１とを備えたレバー式コネクタ１において、軸部７の先端に、軸部７の径方向外側に向けて突出する突出部１３を設け、孔部１１の縁部に、軸部７が孔部１１を挿通した状態で突出部１３の内側面と対向して配置される開き防止壁１５を設け、開き防止壁１５に、突出部１３を挿通可能な複数の挿通部１７を設けた。【選択図】図９
2018006282.tif 000002
【特許請求の範囲】
【請求項１】
相手ハウジングと嵌合可能なハウジングと、このハウジングに回転可能に組付けられ回転により前記相手ハウジングを前記ハウジングに嵌合させるコ字状のレバーと、前記ハウジングの両側面にそれぞれ突設された軸部と、前記レバーの前記ハウジングの両側面に配置される一対の側板部にそれぞれ設けられ前記軸部が挿通される孔部とを備えたレバー式コネクタであって、
前記軸部の先端には、前記軸部の径方向外側に向けて突出する突出部が設けられ、
前記孔部の縁部には、前記軸部が前記孔部を挿通した状態で前記突出部の内側面と対向して配置される開き防止壁が設けられ、
前記開き防止壁には、前記突出部を挿通可能な複数の挿通部が設けられていることを特徴とするレバー式コネクタ。
【請求項２】
請求項１記載のレバー式コネクタであって、
前記一対の側板部の内側面には、前記孔部に連通され前記ハウジングに前記レバーを組付けるときに前記軸部を前記孔部に導く溝部がそれぞれ設けられ、
前記溝部の前記ハウジングに対する前記レバーの組付方向の前端側には、前記溝部の開口側に向けて広がるように傾斜する拾いテーパが設けられ、
前記溝部の底部には、前記溝部の開口側から前記孔部側に向けて前記溝部の深さを浅くするように傾斜する案内テーパが設けられていることを特徴とするレバー式コネクタ。
【請求項３】
請求項２記載のレバー式コネクタであって、
前記複数の挿通部のうち１つは、前記溝部と前記孔部を挟んで対向して配置されていることを特徴とするレバー式コネクタ。
【請求項４】
請求項１乃至３のいずれか１項に記載のレバー式コネクタであって、
前記開き防止壁には、前記突出部と前記レバーの回転方向に当接可能な規制部が設けられていることを特徴とするレバー式コネクタ。
【発明の詳細な説明】
【技術分野】
【０００１】
本発明は、レバー式コネクタに関する。
【背景技術】
【０００２】
従来、レバー式コネクタとしては、相手ハウジングと嵌合可能なハウジングと、このハウジングに回転可能に組付けられ回転により相手ハウジングをハウジングに嵌合させるコ字状のレバーと、ハウジングの両側面にそれぞれ突設された軸部と、レバーのハウジングの両側面に配置される一対の側板部にそれぞれ設けられ軸部が挿通される孔部としての軸受部とを備えたものが知られている（例えば、特許文献１参照）。
【０００３】
このレバー式コネクタでは、軸部の先端に突出部としての一対の抜止片が設けられ、軸受部に一対の抜止片と対応する位置に挿通部としての抜止片受部が設けられている。
【０００４】
このようなレバー式コネクタでは、軸部の係止片と、軸受部の抜止片受部との位置を合わせ、レバーの一対の側板部を開き可能とさせ、ハウジングに対するレバーの組付け、或いは取り外しを行っている。
【先行技術文献】
【特許文献】
【０００５】
【特許文献１】特開２０１４−２０７１６９号公報
【発明の概要】
【発明が解決しようとする課題】
【０００６】
しかしながら、上記特許文献１のようなレバー式コネクタでは、レバーの一対の側板部を開き可能とする軸部の突出部と孔部の挿通部とが一致する位置が、ハウジングに対するレバーの回転方向において、１箇所しかなかった。
【０００７】
このため、上記特許文献１のようなレバー式コネクタでは、ハウジングに対するレバーの組付け、或いは取り外しを行うときに、１箇所しかない軸部の突出部と孔部の挿通部とが一致する位置にレバーを回転させなければならず、ハウジングに対するレバーの組付性が低下していた。
【０００８】
そこで、この発明は、ハウジングに対するレバーの組付性を向上することができるレバー式コネクタの提供を目的としている。
【課題を解決するための手段】
【０００９】
請求項１記載の発明は、相手ハウジングと嵌合可能なハウジングと、このハウジングに回転可能に組付けられ回転により前記相手ハウジングを前記ハウジングに嵌合させるコ字状のレバーと、前記ハウジングの両側面にそれぞれ突設された軸部と、前記レバーの前記ハウジングの両側面に配置される一対の側板部にそれぞれ設けられ前記軸部が挿通される孔部とを備えたレバー式コネクタであって、前記軸部の先端には、前記軸部の径方向外側に向けて突出する突出部が設けられ、前記孔部の縁部には、前記軸部が前記孔部を挿通した状態で前記突出部の内側面と対向して配置される開き防止壁が設けられ、前記開き防止壁には、前記突出部を挿通可能な複数の挿通部が設けられていることを特徴とする。
【００１０】
このレバー式コネクタでは、開き防止壁に、突出部を挿通可能な複数の挿通部が設けられているので、レバーの一対の側板部を開き可能とする軸部の突出部と孔部の挿通部とが一致する位置を、ハウジングに対するレバーの回転方向において、複数箇所とすることができる。
【００１１】
このため、ハウジングに対するレバーの回転方向における複数箇所で、軸部の突出部と孔部の挿通部とを一致させ、ハウジングに対するレバーの組付け、或いは取り外しを行うことができる。
【００１２】
従って、このようなレバー式コネクタでは、ハウジングに対するレバーの組付性を向上することができる。
【００１３】
請求項２記載の発明は、請求項１記載のレバー式コネクタであって、前記一対の側板部の内側面には、前記孔部に連通され前記ハウジングに前記レバーを組付けるときに前記軸部を前記孔部に導く溝部がそれぞれ設けられ、前記溝部の前記ハウジングに対する前記レバーの組付方向の前端側には、前記溝部の開口側に向けて広がるように傾斜する拾いテーパが設けられ、前記溝部の底部には、前記溝部の開口側から前記孔部側に向けて前記溝部の深さを浅くするように傾斜する案内テーパが設けられていることを特徴とする。
【００１４】
このレバー式コネクタでは、一対の側板部の内側面に、孔部に連通されハウジングにレバーを組付けるときに軸部を孔部に導く溝部がそれぞれ設けられているので、ハウジングに対してレバーを組付るときに、軸部を孔部に確実に導くことができる。
【００１５】
また、溝部には、拾いテーパと案内テーパとが設けられているので、拾いテーパによって軸部を溝部に安定して導き、案内テーパによって安定して一対の側板部を開くことができ、ハウジングに対するレバーの組付けを容易に行うことができる。
【００１６】
請求項３記載の発明は、請求項２記載のレバー式コネクタであって、前記複数の挿通部のうち１つは、前記溝部と前記孔部を挟んで対向して配置されていることを特徴とする。
【００１７】
このレバー式コネクタでは、複数の挿通部のうち１つが、溝部と孔部を挟んで対向して配置されているので、ハウジングに対するレバーの組付動作で連続して軸部の突出部と挿通部とを一致させることができ、ハウジングに対するレバーの組付けを容易に行うことができる。
【００１８】
請求項４記載の発明は、請求項１乃至３のいずれか１項に記載のレバー式コネクタであって、前記開き防止壁には、前記突出部と前記レバーの回転方向に当接可能な規制部が設けられていることを特徴とする。
【００１９】
このレバー式コネクタでは、開き防止壁に、突出部とレバーの回転方向に当接可能な規制部が設けられているので、突出部と規制部との当接によりレバーの回転を規制することができ、レバーの無駄な回転スペースを削減して小型化することができる。
【発明の効果】
【００２０】
本発明によれば、ハウジングに対するレバーの組付性を向上することができるレバー式コネクタを提供することができるという効果を奏する。
【図面の簡単な説明】
【００２１】
【図１】本発明の実施の形態に係るレバー式コネクタの斜視図である。
【図２】本発明の実施の形態に係るレバー式コネクタの分解斜視図である。
【図３】本発明の実施の形態に係るレバー式コネクタのハウジングの斜視図である。
【図４】（ａ）は本発明の実施の形態に係るレバー式コネクタの軸部の上面図である。（ｂ）は本発明の実施の形態に係るレバー式コネクタの軸部の側面図である。
【図５】本発明の実施の形態に係るレバー式コネクタのレバーの斜視図である。
【図６】（ａ）は本発明の実施の形態に係るレバー式コネクタのレバーの側面図である。（ｂ）は図６（ａ）の要部拡大図である。
【図７】（ａ）は本発明の実施の形態に係るレバー式コネクタのレバーの背面図である。（ｂ）は図７（ａ）のＸ−Ｘ断面図である。
【図８】本発明の実施の形態に係るレバー式コネクタのハウジングにレバーを組付けるときの側面図である。
【図９】本発明の実施の形態に係るレバー式コネクタのハウジングにレバーを組付けたときの側面図である。
【図１０】本発明の実施の形態に係るレバー式コネクタのレバーを回転させ、ハウジングに端子を収容するときの側面図である。
【図１１】本発明の実施の形態に係るレバー式コネクタのハウジングに端子を収容させた状態で、レバーを回転させたときの側面図である。
【図１２】本発明の実施の形態に係るレバー式コネクタのハウジングにカバーを組付けたときの側面図である。
【図１３】本発明の実施の形態に係るレバー式コネクタのハウジングに相手ハウジングを嵌合させるときに、レバーを回転させたときの側面図である。
【図１４】本発明の実施の形態に係るレバー式コネクタのハウジングに相手ハウジングを嵌合させた状態からレバーを回転させたときの側面図である。
【発明を実施するための形態】
【００２２】
図１〜図１４を用いて本発明の実施の形態に係るレバー式コネクタについて説明する。
【００２３】
本実施の形態に係るレバー式コネクタ１は、相手ハウジングと嵌合可能なハウジング３と、このハウジング３に回転可能に組付けられ回転により相手ハウジングをハウジング３に嵌合させるコ字状のレバー５と、ハウジング３の両側面にそれぞれ突設された軸部７，７と、レバー５のハウジング３の両側面に配置される一対の側板部９，９にそれぞれ設けられ軸部７，７が挿通される孔部１１，１１とを備えている。
【００２４】
また、軸部７の先端には、軸部７の径方向外側に向けて突出する突出部１３が設けられ、孔部１１の縁部には、軸部７が孔部１１を挿通した状態で突出部１３の内側面と対向して配置される開き防止壁１５が設けられている。
【００２５】
そして、開き防止壁１５には、突出部１３を挿通可能な複数の挿通部１７が設けられている。
【００２６】
また、一対の側板部９，９の内側面には、孔部１１に連通されハウジング３にレバー５を組付けるときに軸部７を孔部１１に導く溝部１９がそれぞれ設けられている。
【００２７】
そして、溝部１９のハウジング３に対するレバー５の組付方向の前端側には、溝部１９の開口側に向けて広がるように傾斜する拾いテーパ２１が設けられ、溝部１９の底部には、溝部１９の開口側から孔部１１側に向けて溝部１９の深さを浅くするように傾斜する案内テーパ２３が設けられている。
【００２８】
さらに、複数の挿通部１７のうち１つは、溝部１９と孔部１１を挟んで対向して配置されている。
【００２９】
また、開き防止壁１５には、突出部１３とレバー５の回転方向に当接可能な規制部２５，２５が設けられている。
【００３０】
図１〜図１４に示すように、ハウジング３は、合成樹脂などの絶縁性材料からなり、筐体状に形成され、複数の端子収容室２７が形成されている。
【００３１】
このハウジング３の複数の端子収容室２７には、電源や機器などに接続された複数の電線２９の端末部にそれぞれ設けられた複数の端子３１が収容される。
【００３２】
このようなハウジング３は、相手ハウジング（不図示）と嵌合可能となっており、相手ハウジングと嵌合することにより、相手ハウジングに収容された複数の相手端子（不図示）と複数の端子３１とが電気的に接続される。
【００３３】
このようなハウジング３の両側面には、それぞれ外側に向けて円筒状に突出された軸部７，７が設けられ、この軸部７，７を介してハウジング３にレバー５が回転可能に組付けられる。
【００３４】
レバー５は、合成樹脂などの絶縁性材料からなり、ハウジング３の幅方向にわたって配置される操作部３３と、この操作部３３の両端側に連続する一部材でそれぞれ形成されハウジング３の両側面にそれぞれ配置される一対の側板部９，９とを備え、操作部３３と一対の側板部９，９とでコ字状に形成されている。
【００３５】
操作部３３は、操作者が操作部３３を把持することにより、ハウジング３に対してレバー５を回転させることができる。
【００３６】
一対の側板部９，９には、ハウジング３の両側面に突設された軸部７，７と対応する位置に軸部７，７が挿通して係合される孔部１１，１１がそれぞれ板厚方向に貫通して設けられている。
【００３７】
この孔部１１，１１に軸部７，７が挿通して係合されることにより、レバー５がハウジング３に対して回転可能に組付けられる。
【００３８】
この一対の側板部９，９には、相手ハウジングに設けられたカムピン（不図示）に係合可能なカム溝３５，３５がそれぞれ設けられている。
【００３９】
このようなレバー５は、ハウジング３と相手ハウジングとを嵌合するときに、カム溝３５，３５と相手ハウジングのカムピンとを係合させ、ハウジング３に対してレバー５を回転させる。
【００４０】
このレバー５の回転により、相手ハウジングのカムピンがカム溝３５，３５に沿って移動し、相手ハウジングがハウジング３に引き込まれるように嵌合し、相手端子と複数の端子３１とが電気的に接続される。
【００４１】
このようにレバー５の回転によって相手ハウジングとハウジング３とを嵌合させることにより、相手ハウジングとハウジング３との嵌合力を低減でき、嵌合作業性を向上することができる。
【００４２】
このようなレバー式コネクタ１において、ハウジング３に設けられた軸部７には、突出部１３が設けられている。
【００４３】
突出部１３は、軸部７の先端で軸部７の周方向の１箇所に軸部７の径方向外側に向けて軸部７と連続する一部材で長方形状に突設されている。
【００４４】
なお、突出部１３の突出方向の先端側には、外側から内側に向けて下り傾斜となるテーパが形成されている。
【００４５】
この突出部１３は、軸部７をレバー５の孔部１１に挿通した状態で、内側面が孔部１１に設けられた開き防止壁１５と対向して配置される。
【００４６】
開き防止壁１５は、孔部１１の縁部に設けられ、軸部７を孔部１１に挿通した状態で、外側面が突出部１３の内側面と対向して配置される。
【００４７】
このように孔部１１に開き防止壁１５を設けることにより、一対の側板部９，９が開く方向に変位しようとしても、開き防止壁１５が突出部１３の内側面と当接し、一対の側板部９，９の開きが防止され、ハウジング３からのレバー５の脱落を防止することができる。
【００４８】
このような開き防止壁１５には、突出部１３を挿通可能な複数の挿通部１７が設けられている。
【００４９】
複数の挿通部１７は、開き防止壁１５を板厚方向に貫通して設けられ、開き防止壁１５の周方向に間隔をおいて複数（ここでは２つ）配置され、突出部１３を挿通可能なように突出部１３の外形形状と同様な長方形状に形成されている。
【００５０】
この挿通部１７は、レバー５をハウジング３に組付けるときに、レバー５の一対の側板部９，９を開いてハウジング３に挿入させ、一対の側板部９，９が復元するときに、軸部７の突出部１３と一致することにより、突出部１３が挿通され、軸部７を孔部１１に挿通させることができる。
【００５１】
このような突出部１３を挿通可能な挿通部１７を開き防止壁１５に複数（ここでは２つ）設けることにより、ハウジング３に対するレバー５の複数の回転位置で突出部１３と挿通部１７とを一致させることができ、レバー５の複数の回転位置でレバー５の組付けや取り外しを行うことができる。
【００５２】
このような複数の挿通部１７を有する孔部１１には、溝部１９が連通されている。
【００５３】
溝部１９は、一対の側板部９，９の内側面に底部を有するように凹状にそれぞれ形成され、一端が一対の側板部９，９の側部に向けて開口し、他端が孔部１１に連通されている。
【００５４】
この溝部１９は、レバー５をハウジング３に組付けるときに、一端側の開口がハウジング３の軸部７と係合し、軸部７を溝部１９に沿って移動させ、軸部７を孔部１１に導く。
【００５５】
このようにレバー５に溝部１９を設けることにより、ハウジング３の軸部７をレバー５の孔部１１に安定して導くことができ、ハウジング３に対するレバー５の組付性を向上することができる。
【００５６】
加えて、溝部１９は、一対の側板部９，９の内側面に底部を有する凹状に形成されているので、溝部１９を一対の側板部９，９の板厚方向に貫通するように設けた場合に比較して、一対の側板部９，９の剛性を保持することができる。
【００５７】
この溝部１９は、複数の挿通部１７のうち１つと孔部１１を挟んで対向して配置されている。
【００５８】
このように溝部１９と挿通部１７とを配置させることにより、溝部１９によって孔部１１に導かれた軸部７の突出部１３と孔部１１の挿通部１７とを、ハウジング３に対するレバー５の一連の組付動作で一致させることができ、ハウジング３に対するレバー５の組付性を向上することができる。
【００５９】
このような溝部１９には、拾いテーパ２１と、案内テーパ２３とが設けられている。
【００６０】
拾いテーパ２１は、溝部１９のハウジング３に対するレバー５の組付方向の前端側に設けられ、溝部１９の開口を外側に向けて広がるように傾斜されている。
【００６１】
このように溝部１９に拾いテーパ２１を設けることにより、レバー５をハウジング３に組付けるときに、ハウジング３の軸部７を溝部１９に安定して導くことができる。
【００６２】
案内テーパ２３は、溝部１９の底部に設けられ、溝部１９の開口側から孔部１１側に向けて溝部１９の深さを浅くするように傾斜されている。
【００６３】
このように溝部１９に案内テーパ２３を設けることにより、溝部１９に導かれたハウジング３の軸部７が案内テーパ２３と摺動し、一対の側板部９，９を自動的に開くことができる。
【００６４】
このように溝部１９に拾いテーパ２１と案内テーパ２３とを設けることにより、ハウジング３に対するレバー５の一連の組付動作で、軸部７の溝部１９への案内と、一対の側板部９，９の開きを行うことができ、ハウジング３に対するレバー５の組付けを容易に行うことができる。
【００６５】
ここで、孔部１１の開き防止壁１５には、突出部１３とレバー５の回転方向に当接可能な規制部２５，２５が設けられている。
【００６６】
この規制部２５，２５は、レバー５が意図しない方向に回転しようとしたとき、突出部１３とレバー５の回転方向に当接し、レバー５の回転を規制する。
【００６７】
このように孔部１１に規制部２５，２５を設けることにより、レバー５の回転方向、或いはレバー５の回転範囲を規制することができ、レバー５の無駄な回転スペースを削減することができる。
【００６８】
このように構成されたレバー式コネクタ１の組付けは、まず、図８の矢印で示すように、レバー５の溝部１９の開口側からハウジング３に向けてレバー５の組付けを開始する。
【００６９】
次に、ハウジング３の軸部７を溝部１９に沿って移動させ、溝部１９の案内テーパ２３によって一対の側板部９，９を開きながらレバー５をハウジング３に組付ける。
【００７０】
次に、図９に示すように、軸部７と孔部１１とが一致すると、軸部７の突出部１３と孔部１１の挿通部１７とが一致し、一対の側板部９，９が復元され、軸部７が孔部１１に挿通されてレバー５がハウジング３に回転可能に組付けられる。
【００７１】
このハウジング３に対するレバー５の回転位置では、軸部７の突出部１３と孔部１１の挿通部１７とが一致しているので、レバー５をハウジング３から取り外すことができる。
【００７２】
この状態では、軸部７の突出部１３と開き防止壁１５の一方の規制部２５とがレバー５の他方の回転方向（図１０の矢印と反対方向）に対向しており、レバー５の他方への回転が規制されている。
【００７３】
次に、図１０の矢印で示すように、ハウジング３に対してレバー５を回転させ、複数の端子３１をハウジング３の複数の端子収容室２７にそれぞれ収容させる。
【００７４】
この状態では、軸部７の突出部１３と孔部１１の開き防止壁１５とが、一対の側板部９，９の開き方向に対向しており、一対の側板部９，９の開きが防止されている。
【００７５】
加えて、この状態では、軸部７の突出部１３と開き防止壁１５の他方の規制部２５とがレバー５の一方の回転方向（図１０の矢印方向）に対向しており、レバー５の一方へのそれ以上の回転が規制されている。
【００７６】
さらには、ハウジング３の端子３１の挿入側は、レバー５によって覆われていないので、端子３１を挿入し易くなっている。なお、図１０では、１つの端子３１のみを代表として示しているが、ハウジング３には複数の端子３１が収容される。
【００７７】
次に、図１１の矢印で示すように、ハウジング３に対してレバー５を回転させ、レバー５のカム溝３５の開口を相手ハウジングとの嵌合方向に対向させる。
【００７８】
この状態では、軸部７の突出部１３と孔部１１の開き防止壁１５とが、一対の側板部９，９の開き方向に対向しており、一対の側板部９，９の開きが防止されている。
【００７９】
次に、図１２に示すように、ハウジング３の電線２９の引出側にカバー３７が組付けられ、複数の電線２９が結束バンド３９によって結束される。
【００８０】
そして、ハウジング３の電線２９の引出側と反対側に相手ハウジングを嵌合させ、図１３の矢印で示すように、ハウジング３に対してレバー５を回転させ、ハウジング３と相手ハウジングとの嵌合を完了する。
【００８１】
この状態では、軸部７の突出部１３と孔部１１の開き防止壁１５とが、一対の側板部９，９の開き方向に対向しており、一対の側板部９，９の開きが防止されている。
【００８２】
このハウジング３と相手ハウジングとの嵌合状態でハウジング３からレバー５を取り外す場合には、図１４に示すように、軸部７の突出部１３と孔部１１の挿通部１７とが一致するようにレバー５を僅かに回転させ、一対の側板部９，９を開くことで、矢印で示すように、レバー５をハウジング３から取り外すことができる。
【００８３】
このように孔部１１に突出部１３を挿通可能な複数の挿通部１７を設けることにより、ハウジング３に対するレバー５の複数の回転位置で、突出部１３と挿通部１７とを一致させることができ、レバー５の複数の回転位置で、レバー５の組付けや取り外しを行うことができる。
【００８４】
このようなレバー式コネクタ１では、開き防止壁１５に、突出部１３を挿通可能な複数の挿通部１７が設けられているので、レバー５の一対の側板部９，９を開き可能とする軸部７の突出部１３と孔部１１の挿通部１７とが一致する位置を、ハウジング３に対するレバー５の回転方向において、複数箇所とすることができる。
【００８５】
このため、ハウジング３に対するレバー５の回転方向における複数箇所で、軸部７の突出部１３と孔部１１の挿通部１７とを一致させ、ハウジング３に対するレバー５の組付け、或いは取り外しを行うことができる。
【００８６】
従って、このようなレバー式コネクタ１では、ハウジング３に対するレバー５の組付性を向上することができる。
【００８７】
また、一対の側板部９，９の内側面には、孔部１１に連通されハウジング３にレバー５を組付けるときに軸部７を孔部１１に導く溝部１９がそれぞれ設けられているので、ハウジング３に対してレバー５を組付るときに、軸部７を孔部１１に確実に導くことができる。
【００８８】
さらに、溝部１９には、拾いテーパ２１と案内テーパ２３とが設けられているので、拾いテーパ２１によって軸部７を溝部１９に安定して導き、案内テーパ２３によって安定して一対の側板部９，９を開くことができ、ハウジング３に対するレバー５の組付けを容易に行うことができる。
【００８９】
また、複数の挿通部１７のうち１つは、溝部１９と孔部１１を挟んで対向して配置されているので、ハウジング３に対するレバー５の組付動作で連続して軸部７の突出部１３と挿通部１７とを一致させることができ、ハウジング３に対するレバー５の組付けを容易に行うことができる。
【００９０】
さらに、開き防止壁１５には、突出部１３とレバー５の回転方向に当接可能な規制部２５，２５が設けられているので、突出部１３と規制部２５，２５との当接によりレバー５の回転を規制することができ、レバー５の無駄な回転スペースを削減して小型化することができる。
【００９１】
なお、本発明の実施の形態に係るレバー式コネクタでは、挿通部が開き防止壁に２つ設けられているが、これに限らず、挿通部を開き防止壁に３つ以上設けてもよい。
【００９２】
また、突出部は、軸部の周方向に１箇所設けられているが、これに限らず、例えば、突出部を軸部の周方向に対向する一対の突出部となるように２つ設けてもよく、この一対の突出部と対応するように、挿通部を開き防止壁に複数（例えば４つ）設けてもよい。
【符号の説明】
【００９３】
１…レバー式コネクタ
３…ハウジング
５…レバー
７…軸部
９…側板部
１１…孔部
１３…突出部
１５…防止壁
１７…挿通部
１９…溝部
２１…拾いテーパ
２３…案内テーパ
２５…規制部
【図１】
2018006282.tif 000003
【図２】
2018006282.tif 000004
【図３】
2018006282.tif 000005
【図４】
2018006282.tif 000006
【図５】
2018006282.tif 000007
【図６】
2018006282.tif 000008
【図７】
2018006282.tif 000009
【図８】
2018006282.tif 000010
【図９】
2018006282.tif 000011
【図１０】
2018006282.tif 000012
【図１１】
2018006282.tif 000013
【図１２】
2018006282.tif 000014
【図１３】
2018006282.tif 000015
【図１４】
2018006282.tif 000016